(57)【要約】【課題】従来の便座カバーは、平板な帯状生地を立体湾曲形状の便座に被着し、カバー側腹縁をホック等の細かい嵌合部材によって係着して被着してきたため、便座に対するカバーの位置決めや係着具の嵌合作業が困難で便座に対するカバー着脱作業が大変であり、便座表面をカバー生地が滑ってズレる問題がある。【解決手段】帯状カバーの中央部を、被覆便座の先端形状に対応する湾曲凹形状１１に形成し、側腹縁の着合係着具を係掛ボタン２と係掛板３により、カバーの両側端１３に中央部に粘性材４１を塗装した平帯状ゴム紐４を着設してカバー着脱作業を簡便にし、便座表面とカバー生地の滑りによるズレを防止した。【選択図】図１
2007244482.tif 000002
【特許請求の範囲】
【請求項１】
便座を包む帯状カバーの略中央部を、被覆便座の先端形状に対応する湾曲凹形状に形成したことを特徴とする便座カバー
【請求項２】
帯状カバーの一側腹縁に係掛ボタン、対応する他側腹縁に、係掛ボタンを挿通し先端側が狭隘となって引張により係掛ボタンの基部と係掛する着合孔を設けた係掛板をそれぞれ設定して、係掛ボタンと係掛板の係掛により対応側腹縁を着合して被覆便座にカバーを着接するようにしたことを特徴とする便座カバー
【請求項３】
帯状カバーの両側端に、長手方向中央部に帯状に粘性材を塗装した平帯状ゴム紐を側腹縁より所定長さ張出して着設し、その張出先端部に係掛具を設定するようにしたことを特徴とする便座カバー
【請求項４】
平帯状ゴム紐の中央部に塗装する粘性材をシリコンゴムとした請求項３記載の便座カバー
【発明の詳細な説明】
【技術分野】
【０００１】
本発明は、腰掛け式便器の便座カバー、特に、局部洗浄器、暖房装置を付設する環状便座用の便座カバーに関するものである。
【背景技術】
【０００２】
従来、この種の便座カバーの装着形態としては、例えば特許文献１乃至に記載されるように帯状カバーの両側腹縁同士を係着する形態が多く採られているが、係着形態としては特許文献１のようなファスナーによるもの、特許文献２のように本体編み地の側腹縁部に取り付けたフック部材と掛止環の係掛によるもの、特許文献３、４にように雄ホックと雌ホックの嵌合によるもの等がある。
【０００３】
しかし、製造コストや安定性等の関係から係着形態として最も多く用いられているのは、上記特許文献３、４に記載されるような帯状カバーの両側腹縁の適宜位置に雄ホックと雌ホックを対応設定して係着する形態となっている。
【特許文献１】特開平０９−１１７３９２号公報
【特許文献２】特開２００５−１７７４３７号公報
【特許文献３】特開２００３−３３９５７９号公報
【特許文献４】特開２００３−２４２４５号公報
【発明の開示】
【発明が解決しようとする課題】
【０００４】
しかしながら、カバー本体はパイル編生地等、柔軟で伸縮性に富んだ素材を用いており、被覆便座の先端形状は湾曲する立体形状となっているため、基本的に平板なカバー本体を被着する場合、生地が便座表面を滑って位置決めが困難であると共に、平板な生地を立体形状に合わせるため、被着作業中、常に生地の一部を引っ張って形合わせをしなければならない。
【０００５】
また、係着具としてホックを用いた場合、本体生地の伸縮性により雄ホックと雌ホックの位置がずれて嵌め合わせに意外な力が必要であり、ホックを外す際にも生地が伸縮して外す力が逃げて、極めて面倒であり、カバー着脱作業に多大な時間と手間を要する問題があった。
【０００６】
更に、係着具としてフックを用いた場合にも、便座の芯をヒンジ側の取付け部に使用するために狭いスペースでの作業となり、フック部材のフックを掛止環のリングに引っ掛ける嵌め合わせも難しく、カバーの取り外し時には生地やゴム紐の伸縮力が位置の固定を妨げるため、極めてやり難く面倒である。
【０００７】
以上のような、カバー着脱作業の困難性に加え、便座基部取付けヒンジ側の被着部形状が基部側に向かって拡幅する湾曲形状となっているため、係着具による固定だけでは時間が経つにつれ、覆着したカバーが幅の狭い先端側に向かってずれ、せり上がってカバー表面に皺ができたり、カバーが便座に密着しなくなってしまう問題があった。
【０００８】
カバー端のずれ上がりについては、引用文献１に図示されるように被着便座基部後端側からテープを回してカバー端のフックに引っ掛ければ、安定した覆着を行うことができるが、便座基部後端側にテープを回すのは作業的に困難であり、また、覆着状態を便座表面から見た場合の美観にも問題がある。
【課題を解決するための手段】
【０００９】
本発明は上記した問題点に対応しようとするものであり、便座を包む帯状カバーの略中央部を、被覆便座の先端形状に対応する湾曲凹形状に形成することにより、被覆便座先端の立体形状に対応する形状に形成してカバー本体を被覆便座先端に着せ掛けるだけでカバーの被着位置が固定されるように構成した。
【００１０】
また、帯状カバーの一側腹縁に係掛ボタン、対応する他側腹縁に係掛ボタンを挿通し先端側が狭隘となって引張により係掛ボタンの基部と係掛する着合孔を設けた係掛板をそれぞれ設定して、係掛ボタンと係掛板の係掛により対応側腹縁を着合して被覆便座にカバーを着接するようにし、係掛板の余裕のある剛性と操作のための把持スペースによってカバー着脱作業をやり易いように構成した。
【００１１】
更に、帯状カバーの両側端に、長手方向中央部に帯状に粘性材を塗装した平帯状ゴム紐を側腹縁より所定長さ張出して着設し、その張出先端部に係掛具を設定するようにし、平帯状ゴム紐に塗装された粘性材が被着便座の表面に粘着してカバーの密着性が維持されるように構成した。
【００１２】
加えて、この粘性材に負荷荷重によって摩擦係数が増し固定力が強化されるシリコンゴムを用いることにより、便座表面とカバーの過度な粘着現象を避けて密着固定力だけを得ることができるようにした。
【実施例】
【００１３】
以下、図面を参照して本発明の実施例を説明する。１は帯状のカバー本体で、パイル編生地等、ニット製による柔軟で伸縮性に富んだ素材によって帯状に構成され、その略中央部は被着便座の頂部をキャップする湾曲凹形状部１１に形成されている。
【００１４】
湾曲凹形状部１１は、編み立て時に目数調整によって立体湾曲形状に構成しても良いが、図４に示すように頂部を挟んだ両側位置に略菱形の切り込み１１ａ、１１ｂを入れて縫い合わせたダーツによってフィット形状を簡単に構成しても良い。
【００１５】
帯状のカバーの上下側腹縁部１２ａ、１２ｂには、被着便座を包摂したカバーの両側腹縁を接合する係掛具として係掛ボタン２とボタン２の着合孔３１を設けた係掛板３が、それぞれの対応位置に所定間隔で並列設定されている。
【００１６】
係掛板３は、軟質樹脂やナイロン或いはポリプロピレン等によって薄い板状に形成され、略中央部に係掛ボタン２を挿通し先端側が狭隘となって引張により係掛ボタンの基部と係掛する着合孔３１が設けられ、先端部が把持部３２、基端部が取付け部３３となっていて本体１の側腹縁部に着合される。
【００１７】
カバー本体１は柔軟で伸縮性に富んだ素材によって構成され、係掛板３は或る程度の剛性をもっているので、被着便座Ａからカバーを取り外す際には把持部３２を持って引張ると係掛ボタン２が着合孔３１の斜辺部３１ｂ、３１ｂに案内されて容易に広径部３１ａに導かれ片手で取り外すことも可能となる。
【００１８】
また、本体１の両側端１３には長手方向中央部に帯状に粘性材４１を塗装した平帯状ゴム紐４が側端１３に沿って側腹縁１２ｂより所定長さ張出して着設され、その先端部に係掛板３が接合されている。このように係掛板３をゴム紐４の先端に取り付ける場合には図６に示すようなゴム紐の挿通孔３４を設ける。
【００１９】
ゴム紐４に塗装される粘性材４１は、生ゴム等の通常粘着剤でも良いが、粘着性が余り強くなるとカバーの取替え時に脱離し難くなったり、被着便座に装置された暖房による熱の影響を受ける問題がある。
【００２０】
出願人において実験したところ、シリコンゴムを用いることにより、暖房加熱の影響も少なく、便座表面とカバーの過度な粘着現象を避けて密着固定力だけを得ることができることが確認された。
【００２１】
カバー１の両側端１３、１３には、上記のように長手方向中央部に帯状に粘性材４１を塗装した平帯状ゴム紐４が側端１３に沿って側腹縁１２ｂより所定長さ張出して着設され、その先端部に係掛板３が接合されているので、ゴム紐４を引張って対応係掛ボタン２に係掛することにより、側端１３に沿って着設されたゴム紐４の粘性材４１塗装面が被着便座の表面に当接し、滑り易い便座表面に粘着してカバーの密着性が維持されるものである。
【００２２】
本発明は上記のようにカバー本体１の頂部を立体的な湾曲凹形状に構成したので、立ち上げた便座の頂部に袋状になったカバー１の湾曲凹形状部１１をキャップすることにより、被着便座に対するカバー本体１の覆着部位が自動的に決定され、カバーを被着便座に押さえたり便座形状に合わせて引張ったりすることなく、係掛具２、３を着合して覆着することができる。
なお、実施例としては係掛具２、３を係掛ボタンと係掛板としたが、他の係掛具や側腹縁接合手段によっても良い。
【００２３】
また、カバー側腹縁の係掛具が薄い樹脂板による係掛板３によって構成されているので、ホックのように生地に紛れることなく一目瞭然にその存在位置を確認することができ、指先の細かい作業をすることなく把持部３２により対応係掛ボタン２に容易に係掛することができる。
本実施例は、カバー本体１の頂部を立体的な湾曲凹形状にしたものとしているが、カバー本体１の構成をこれに限定するものではない。
【００２４】
本発明は以上のように構成したので、被着便座に対するカバーの位置決め、指先の細かい作業を要するホックの嵌め合わせ、生地の噛み込み等のトラブルを発生し易いファスナー等の問題を回避して、簡易、迅速に着脱作業を行える便座カバーを提供することができたものである。
【図面の簡単な説明】
【００２５】
【図１】本発明による便座カバーの実施例を示すもので、被着便座への覆着状態と係掛具によるカバー側腹縁部の係着状况を示す被着便座裏面の全体図である。
【図２】同じく、被着便座基部に対するカバー側端部の覆着状態と係掛具の係着状况を示す被着便座基部裏面の部分拡大図である。
【図３】同じく、カバー本体の全体形状と係掛具の配設状况を示す便座カバーの全体背面図である。
【図４】同じく、カバー本体の頂部をダーツによって立体的な湾曲凹形状に構成する場合のダーツ形状の１例を示すカバー本体の展開図である。
【図５】同じく、係掛板の形状の１例を示す係掛板の正面図である。
【図６】同じく、カバー側端に沿設される平帯状ゴム紐の先端に設定される係掛板の形状の１例を示す係掛板の正面図である。
【符号の説明】
【００２６】
１      カバー本体
１１      カバー本体の湾曲凹形状部
１１ａｂ  カバー本体の湾曲凹形状部を形成するダーツ切り込み
１２ａｂ  カバー本体の係着側腹縁部
１３      カバー本体の側端部
２      係掛ボタン
３      係掛板
３１      係掛板のボタン着合孔
３１ａ    係掛板のボタン着合孔広径部
３１ｂ    係掛板のボタン着合孔斜辺部
３２      係掛板の把持部
３３      係掛板の基端取付け部
３４      係掛板基端のゴム紐挿通孔
４      平帯状ゴム紐
４１      平帯状ゴム紐に塗装された粘性材
Ａ      カバー被着便座
Ｂ      カバー被着便座のクッションゴム脚
【図１】
2007244482.tif 000003
【図２】
2007244482.tif 000004
【図３】
2007244482.tif 000005
【図４】
2007244482.tif 000006
【図５】
2007244482.tif 000007
【図６】
2007244482.tif 000008